(57)【特許請求の範囲】
【請求項１】
外部装置から一定周期でサンプリングしてブロック分割された表示用データを１つのブロック毎に取込み、前記表示用データを文字情報データへ変換して文字情報データを表示できるＦＭ文字放送ラジオ受信機に対して送出するＦＭ文字多重放送送出装置であって、前記ＦＭ文字多重放送送出装置は前記外部装置からサンプリングによりブロック分割された１つのブロックの表示用データを取込んだ後の次のサンプリングまでの時間に手入力文字情報を取込むようにしたことを特徴とするＦＭ文字多重放送送出方法。
【請求項２】
外部装置から一定周期でサンプリングしてブロック分割された表示用データを１つのブロック毎に取込み、前記表示用データを文字情報データへ変換して文字情報データを表示できるＦＭ文字放送ラジオ受信機に対して送出するＦＭ文字多重放送送出装置であって、前記ＦＭ文字多重放送送出装置は前記外部装置からの送信問合せに対し送信許可を与えた後に前記外部装置からサンプリングによりブロック分割された１つのブロックの表示用データを取込んだ後の次のサンプリングまでの時間に手入力文字情報を取込むようにしたことを特徴とするＦＭ文字多重放送送出方法。
【請求項３】
外部装置からブロック分割された表示用データを１つのブロック毎に取込み、前記表示用データを文字情報データへ変換して文字情報データを表示できるＦＭ文字放送ラジオ受信機に対して送出するＦＭ文字多重放送送出装置において、前記外部装置から一定周期でサンプリングしてブロック分割された表示用データを取込むデータ受信手段と、前記外部装置からサンプリングによりブロック分割された１つのブロックの表示用データを取込んだ後の次のサンプリングまでの時間に文字情報データを手動で入力する手動入力手段からの手入力文字情報を入力するデータ入力手段と、前記データ受信手段で取込んだ前記表示用データを記憶するデータ記憶手段と、前記データ記憶手段に記憶されている前記表示用データを読み出して文字情報データへ変換するデータ編集手段とを具備することを特徴とするＦＭ文字多重放送送出装置。
【請求項４】
外部装置からブロック分割された表示用データを１つのブロック毎に取込み、前記表示用データを文字情報データへ変換して文字情報データを表示できるＦＭ文字放送ラジオ受信機に対して送出するＦＭ文字多重放送送出装置において、前記外部装置からの送信問合せに対し送信許可を与えた後に前記外部装置から一定周期でサンプリングしてブロック分割された表示用データを取込むデータ受信手段と、前記外部装置からサンプリングによりブロック分割された１つのブロックの表示用データを取込んだ後の次のサンプリングまでの時間に文字情報データを手動で入力する手動入力手段からの手入力文字情報を入力するデータ入力手段と、前記データ受信手段で取込んだ前記表示用データを記憶するデータ記憶手段と、前記データ記憶手段に記憶されている前記表示用データを読み出して文字情報データへ変換するデータ編集手段とを具備することを特徴とするＦＭ文字多重放送送出装置。
【発明の詳細な説明】
【０００１】
【発明の属する技術分野】
本発明は一定周期でサンプリングして得た表示用データを文字情報データへ変換して文字情報データを表示できるＦＭ文字放送ラジオ受信機に対して送出するＦＭ文字多重放送送出方法および装置に関する。
【０００２】
【従来の技術】
従来、ラジオ放送は音声による伝送に限られていたが、近年、ＦＭ放送においては、文字や図形のディジタル情報をＦＭ文字多重放送用受信機の液晶表示器に表示できるようにしたサービスが開始されている。液晶表示器には、１５文字を２行あるいは１５文字を８行程表示できる。
【０００３】
このサービスによる文字情報（ディジタル情報）は、音声とは別に、ニュース、天気予報、交通情報、番組情報等の情報を対象にしている。文字情報を表示できる受信機は、内臓するコンピュータで情報処理できるようになっている。
【０００４】
デジィタル情報を送信するＦＭ放送局は、音声情報と文字情報を合成して送信し放送している。文字情報は外部装置から一定周期でサンプリングして得た表示用データに基づきＦＭ文字多重放送送出装置で作成され、文字情報をデータ変調した後に音声情報と合成して送信される。
【０００５】
このようなＦＭ文字多重放送送出装置については、本出願人は先に特願平９−２９８３９４号として提案している。
【０００６】
ところで、音楽番組等においては、外部装置からの表示用データによる文字情報だけでなく、操作員がキーボードで入力する、お知らせ等の手入力文字情報についてもＦＭ文字多重放送送出装置に取込み送信することが必要となる。
【０００７】
【発明が解決しようとする課題】
ＦＭ文字多重放送送出装置は外部装置からＮ個にブロック分割された表示用データをＮ回のサンプリングで入力するようにしている。すなわち、一回のサンプリングで１／Ｎ個の表示用データを取込むようにしている。このため、表示用データのブロック分割数が多くなると、手入力文字情報の入力待ち時間が長くなるという問題点を有する。お知らせ等の手入力文字情報を入力する回数は比較的多いためＦＭ文字多重放送送出装置の運用上で大きな問題になっている。
【０００８】
本発明の目的は、外部装置からの表示用データ入力に支障をきたすことなく手入力文字情報の入力待ち時間を短縮できるＦＭ文字多重放送送出方法および装置を提供することにある。
【０００９】
【課題を解決するための手段】
本発明の特徴とするところは、ＦＭ文字多重放送送出装置は外部装置からサンプリングによりブロック分割された表示用データを取込んだ後の次のサンプリングまでの時間に手入力文字情報を取込むようにしたことにある。
【００１０】
本発明は、サンプリングによりブロック分割された１つのブロックの表示用データを取込んだ後の次のサンプリングまでの時間に手入力文字情報を取込むようにしているので、外部装置からの表示用データ入力に支障をきたすことなく手入力文字情報の入力待ち時間を短縮することができる。
【００１１】
【発明の実施の形態】
図１に本発明の一実施例を示す。
【００１２】
図１において、ＦＭ文字多重放送送出装置１は、データ受信部１１、データ編集部１２、データ記憶部１３、データ入力部１４、データ送出部１５および中間ファイルとしてのデータベース１６から構成されている。
【００１３】
データ受信部１１は、受信データ監視部１１１、受信データ抽出部１１２、受信タイムアウト監視部１１３および受信状態監視部１１４から構成され、また、データ編集部１２は、データ変換部１２１、中間ファイル生成部１２２から構成されている。受信タイムアウト監視部１１３は図４に示すような内容でタイムアウト時間ｔ１、ｔ２を判定する。
【００１４】
データ記憶部１３は、受信データ格納テーブル１３１、タイムアウト監視起点時刻格納テーブル１３２から構成され、また、データ入力部１４は、データ受信起動部１４１、データ判定部１４２から構成されている。
【００１５】
受信データ格納テーブル１３１には、図５に示すようにデータ受信部１１にて受信したデータの中で当該データが表示用データであることを表すデータ種別、当該受信ブロックの有効データの長さを表すデータサイズ、当該受信ブロックの一貫番号を表すブロック番号、ブロック分割総数を表すブロック総数、表示用データの全ブロック分のデータが格納されている。
【００１６】
タイムアウト監視起点時刻格納テーブル１３２は、図６に示すように外部装置８への表示用データ送信許可時刻または外部装置８からの１ブロック受信完了時刻を記憶する。この時刻をＴｓとしている。
【００１７】
外部装置８はコンピュータで構成され、図示しない上位装置から表示用データが不定期に与えられる。外部装置８の表示用データは一定周期でサンプリングされＦＭ文字多重放送送出装置１に取込まれる。操作員による手入力文字情報はキーボード９で入力され、ＦＭ文字多重放送送出装置１のデータ入力部１４に与えられる。
【００１８】
ＦＭ文字多重放送送出装置１と外部装置８は、表示用データだけでなく図３に示すような通信制御データＥＮＱ，ＡＣＫの授受もおこなわれる。また、外部装置８は図４に示すような内容でタイムアウト時間Ｔ１、Ｔ２を判定する。
【００１９】
ＦＭ文字多重放送送出装置１のデータ送出部１５から出力される文字情報はデータ変調部２で変調された後にデータ合成部３において音声情報生成部７の音声情報と合成される。
【００２０】
データ合成部３で合成された文字情報と音声情報はデータ送信部４からアンテナ５を介して送信されＦＭ文字放送ラジオ受信機６に受信される。
【００２１】
次に、図２に示すような表示用データをブロック単位で伝送する場合の動作を図７、図８に示すフローチャートを用いて説明する。
【００２２】
まず、データ入力処理について図７のフローチャートを用いて説明する。
【００２３】
データ受信起動部１４１はステップＳ１においてデータ受信部１１を起動する時間であるかを判定する。データ受信起動部１４１は起動時間であればステップＳ２でデータ受信部１１を起動する。データ受信起動部１４１は一定時間（１秒程度）周期でデータ受信部１１を起動する。
【００２４】
データ受信部１１が起動されると、受信データ監視部１１１はサンプリングして外部装置８からの表示用データの有無を監視する（ステップＳ３）。受信データ監視部１１１がステップＳ３で表示用データが入力されないと判定するとステップＳ４に移行する。ステップＳ１でデータ受信部１１の起動時間でないと判定された場合にもステップＳ４に移行する。
【００２５】
ステップＳ４では、データ入力部１４がキーボード９から入力される手入力文字情報の有無を判定する。データ入力部１４がステップＳ４で手入力文字情報有りと判定すると、ステップＳ５でデータ判定部１４２に手入力文字情報を入力する。ステップＳ４で手入力文字情報無しと判定するとステップＳ１に戻る。
【００２６】
データ判定部１４２はステップＳ６において、全ての手入力文字情報の入力が完了したかを判定する。完了していなければステップＳ１に戻り、完了していればデータ入力処理を終了する。
【００２７】
一方、データ判定部１４２がステップＳ３で表示用データが入力されていると判定すると中間ファイル１６から文字情報データを読み出しデータ入力処理を終了する。
【００２８】
データ判定部１４２は、データ編集部１２で生成される文字情報が中間ファイル１６に存在する時は中間ファイル１６から文字情報データを読み出し、中間ファイル１６に存在しない時は人手による文字情報データを入力してデータ送出部１５へ伝送し、データ入力部１４を終了する。
【００２９】
次に、データ受信処理の動作を図８にフローチャートを用いて説明する。
【００３０】
始めに、受信データ監視部１１１がステップＳ１１で外部装置８からの表示データの有無を判定し、表示データ無しの時にはステップＳ２０を実行し、表示データ有りの時にはステップＳ１２を実行する。
【００３１】
受信データ抽出部１１２はステップＳ１２で受信したデータが図２に示す通信制御データ（ＥＮＱ）かどうかを判定する。受信データ抽出部１１２は受信したデータが通信制御データ（ＥＮＱ）の時、外部装置８へ図２に示す表示用データ送信許可の通信制御データ（ＡＣＫ）を送信する（ステップＳ１３）と共に、ステップＳ１５でタイムアウト監視起点時刻格納テーブル１３２に現在時刻を格納する。
【００３２】
受信データ抽出部１１２は受信した表示用データが通信制御データ（ＥＮＱ）でないときはステップＳ１４の処理を実行し、受信した１ブロックの表示用データを受信データ格納テーブル１３１に記憶し、タイムアウト監視起点時刻格納テーブル１３２に現在時刻を格納する。
【００３３】
ステップＳ１６では、受信状態監視部１１４が全ブロックの表示用データの受信が完了したかを図２に示すように受信データ内のブロック番号とブロック総数が一致したことにより判定する。受信状態監視部１１４は受信した１ブロックのブロック番号とブロック総数が一致したかどうかを判定した結果、一致していない時、すなわち、全ブロックを受信完了していない時はデータ受信処理を終了し、データ入力部１４にキーボード９からの手入力文字情報の入力を可能にさせる。
【００３４】
また、受信状態監視部１１４は受信した１ブロックのブロック番号とブロック総数が一致している時、すなわち全ブロックを受信完了した時には、外部装置８に図２に示すように表示用データ受信完了の通信制御データ（ＡＣＫ）を送信する（ステップＳ１７）。
【００３５】
データ変換部１２１は受信した全ての表示用データを文字情報データへ変換する（ステップＳ１８）。中間ファイル生成部１２２はステップＳ１８においてデータ変換部１２１で変換された文字情報データを中間ファイル１６に書き込みデータ受信処理を終了する。
【００３６】
ステップＳ１１からステップＳ２０の処理に移行すると、受信タイムアウト監視部１１３はタイムアウト監視起点時刻格納テーブル１３２に格納されたタイムアウト監視起点時刻と現在時刻の時間差を求め、その時間差が図４に示すタイムアウト判定時間ｔ１もしくはｔ２を超過していない時はデータ受信処理を終了する。
【００３７】
受信タイムアウト監視部１１３は時間差がタイムアウト判定時間ｔ１もしくはｔ２を超過している時は受信データ格納テーブル１３１を初期化してデータ受信処理を終了する。
【００３８】
このような動作を行うのであるが、この場合におけるＦＭ文字多重放送送出装置１と外部装置８およびキーボード９の表示用データ、手入力文字情報データの関係をサンプリング周期について示すと図９のようになる。
【００３９】
図９（ａ）は外部装置８とキーボード９の表示用データおよび手入力文字情報データの入力が共に無い場合である。図９（ｂ）はキーボード９からの手入力文字情報データのみが入力されている場合で、図９（ｃ）は外部装置８の表示用データとキーボード９の手入力文字情報データが共に入力されている場合である。また、図９（ｄ）は外部装置８からの表示用データのみが入力されている場合である。
【００４０】
データ判定部１４２は、データ編集部１２で生成された文字情報データが中間ファイル１６に存在している時は中間ファイル１６から文字情報データを読み出し、中間ファイル１６に文字情報データが存在しない時は手入力文字情報データを入力してデータ送出部１５へ伝送する。
【００４１】
データ送出部１５から送出された文字情報データは、データ変調部２、データ合成部３、データ送信部４およびアンテナ５を介してＦＭ文字放送ラジオ受信機６に送信される。
【００４２】
このようにして外部装置８から入力される表示用データを一定周期でサンプリングして監視し、表示用データが入力されない時はデータ入力部１４へキーボード９から手入力文字情報を入力できるようにする。また、表示用データが入力された時はブロック分割された表示用データをブロック単位に記憶してデータ入力部１４へキーボード９から手入力文字情報を入力できるようにする。さらに、表示用データを全ブロック受信した時には、記憶されているブロック単位の表示用データを文字情報データへ変換して中間ファイル１６を生成しデータ入力部１４へキーボード９から手入力文字情報を入力できるようにする。データ入力部１４は中間ファイル１６の存在により手入力文字情報データを入力するか中間ファイル１６の文字情報データを読み出すかを判定することにより、手入力文字情報データの入力を妨げることなく円滑に、かつ容易に行うことができ、文字情報データの入力処理における操作性の向上を図ることができる。
【００４３】
【発明の効果】
本発明によれば、サンプリングよりブロック分割された表示用データを取込んだ後の次のサンプリングまでの時間に手入力文字情報を取込むようにしているので、外部装置からの表示用データ入力に支障をきたすことなく手入力文字情報の入力待ち時間を短縮することができる。その結果として、文字情報データの入力処理における操作性の向上を図ることができる。
【図面の簡単な説明】
【図１】本発明の一実施例を示す構成図である。
【図２】本発明における外部装置とのデータ送信手順の説明図である。
【図３】本発明の表示用データを受信する時の通信制御データの説明図である。
【図４】本発明の表示用データを受信する時のタイムアウト判定時間の説明図である。
【図５】受信データ格納テーブルの説明図である。
【図６】タイムアウト監視起点時刻格納テーブルの説明図である。
【図７】本発明のデータ入力処理のフローチャート図である。
【図８】本発明のデータ受信処理のフローチャート図である。
【図９】本発明のデータ取込み処理の説明図である。
【符号の説明】
１…ＦＭ文字多重放送送出装置、２…データ変調部、３…データ合成部、４…データ送信部、１１…データ受信部、１２…データ編集部、１３…データ記憶部、１４…データ入力部、１５…データ送出部、１１１…受信データ監視部、１１２…受信データ抽出部、１１３…受信タイムアウト監視部、１１４…受信状態監視部、１２１…データ変換部、１２２…中間ファイル生成部、１３１…受信データ格納テーブル、１３２…タイムアウト監視起点時刻格納テーブル、１４１…データ受信起動部、１４２…データ判定部
【図１】
0003598232.tif 000002
【図２】
0003598232.tif 000003
【図３】
0003598232.tif 000004
【図４】
0003598232.tif 000005
【図５】
0003598232.tif 000006
【図６】
0003598232.tif 000007
【図７】
0003598232.tif 000008
【図８】
0003598232.tif 000009
【図９】
0003598232.tif 000010